(57)【要約】【課題】  カメラによる撮影が禁止され得る施設内においても臨機応変に撮影が可能となるカメラ起動設定システム、カメラ付携帯端末、基地局、サーバー及び記録媒体を提供する。【解決手段】  撮影許可状況に応じて携帯端末に搭載されたカメラ起動を制御するので、カメラによる撮影が禁止され得る施設内においても臨機応変に撮影が可能となる。【選択図】  図１
2006254249.tif 000002
【特許請求の範囲】
【請求項１】
所定エリアにおける撮影許可状況に応じて携帯端末に搭載されたカメラ起動を制御することを特徴とするカメラ起動設定システム。
【請求項２】
他の携帯端末との間で通信通話を行うための第１の無線高周波部、特定の基地局との間で近距離無線通信を行うための第２の無線高周波部、画像を電気信号に変換するカメラ、及び前記カメラの起動の非許可信号を前記基地局から受信すると許可信号を受信するまで前記カメラの起動を停止するように制御するベースバンド部を有するカメラ付携帯端末と、
前記カメラによる撮影が禁止され得る施設に配置され、前記カメラ付携帯端末に前記非許可信号もしくは前記許可信号の何れか一方を送信する基地局と、
前記施設内での撮影が禁止される場合は前記基地局から前記カメラ付携帯端末に前記非許可信号を送信させ、前記施設内で指定箇所、指定期間、もしくは状況に応じて撮影が許可される場合は前記基地局から前記カメラ付携帯端末に前記許可信号を送信させるサーバーと、
を備えたことを特徴とするカメラ起動設定システム。
【請求項３】
前記サーバーは、前記基地局から前記カメラ付携帯端末に前記カメラの撮影が禁止されているか否かのメッセージの信号を送信させ、前記カメラ付携帯端末は前記基地局からのメッセージの信号を受信すると前記メッセージを表示することを特徴とする請求項２記載のカメラ起動設定システム。
【請求項４】
前記サーバーは、前記カメラ付携帯端末が前記施設から離れたと判断した場合には前記カメラ付携帯端末に前記許可信号を前記基地局から送信させることを特徴とする請求項２または３記載のカメラ起動設定システム。
【請求項５】
前記基地局は、前記施設に複数配置され、前記第２の無線高周波部を用いて前記カメラ付携帯端末との間で直接無線通信を行うことで受信レベルを測定し、
前記サーバーは、該受信レベルが予め設定された受信レベルになったときに前記カメラによる撮影の許可非許可を前記カメラ付携帯端末に通知することを特徴とする請求項２から４のいずれか１項記載のカメラ起動設定システム。
【請求項６】
前記基地局は、前記施設内の出入口に配置され、前記カメラ付携帯端末の入出を判断することを特徴とする請求項２から５いずれか１項記載のカメラ起動設定システム。
【請求項７】
他の携帯端末との間で通信通話を行うための第１の無線高周波部と、
特定の基地局との間で近距離無線通信を行うための第２の無線高周波部と、
画像を電気信号に変換するカメラと、
前記カメラの起動の非許可信号を前記基地局から受信すると許可信号を受信するまで前記カメラの起動を停止して待機するように制御するベースバンド部と、
を備えたことを特徴とするカメラ付携帯端末。
【請求項８】
カメラ付携帯端末に内蔵されたカメラによる撮影が禁止され得る施設内に配置され、前記カメラ付携帯端末に前記カメラの起動を停止する非許可信号もしくは前記カメラの起動を許可する許可信号の何れか一方を送信するための第３の無線高周波部を備えたことを特徴とする基地局。
【請求項９】
カメラ付携帯端末に内蔵されたカメラによる撮影が禁止され得る施設内で、前記撮影が禁止される場合は、基地局からカメラ付携帯端末に非許可信号を送信させ、前記施設内で指定箇所、指定期間、もしくは状況に応じて撮影が許可される場合は前記基地局から前記カメラ付携帯端末に許可信号を送信させることを特徴とするサーバー。
【請求項１０】
前記基地局から前記カメラ付携帯端末に前記カメラの撮影が禁止されているか否かのメッセージの信号を送信させ、前記カメラ付携帯端末は前記基地局からのメッセージの信号を受信すると前記メッセージを表示することを特徴とする請求項９記載のサーバー。
【請求項１１】
前記カメラ付携帯端末が前記施設から離れたと判断した場合には前記カメラ付携帯端末に前記許可信号を前記基地局から送信させることを特徴とする請求項９または１０記載のサーバー。
【請求項１２】
サーバーに、カメラ付携帯端末に内蔵されたカメラによる撮影が禁止され得る施設内で、前記撮影が禁止される場合は、基地局からカメラ付携帯端末に非許可信号を送信させる処理、前記施設内で指定箇所、指定期間、もしくは状況に応じて撮影が許可される場合は前記基地局から前記カメラ付携帯端末に許可信号を送信させる処理を実行させるためのプログラムを記録したことを特徴とする記録媒体。
【請求項１３】
前記サーバーに、前記基地局から前記カメラ付携帯端末に前記カメラの撮影が禁止されているか否かのメッセージの信号を送信させる処理、前記カメラ付携帯端末は前記基地局からのメッセージの信号を受信すると前記メッセージを表示させる処理を実行させることを特徴とする請求項１２記載の記録媒体。
【請求項１４】
前記サーバーに、前記カメラ付携帯端末が前記施設から離れたと判断した場合には前記カメラ付携帯端末に前記許可信号を前記基地局から送信させる処理を実行させることを特徴とする請求項１２または１３記載の記録媒体。
【発明の詳細な説明】
【技術分野】
【０００１】
本発明は、カメラ起動設定システム、カメラ付携帯端末、基地局、サーバー及び記録媒体に関する。
【背景技術】
【０００２】
カメラ付携帯電話は常日頃からユーザーの手元にあるために、いろいろな物などの被写体を簡単に撮影をする事ができる。しかし、便利になる一方、カメラ付携帯電話による情報漏えいや、カメラ撮影のマナーに問題が発生する。
企業によっては来客や業者からカメラ付携帯電話を入構前に守衛が預かるところもある。
【０００３】
しかし、ユーザーにとってカメラ付携帯電話を預けた後に、他の人に連絡を取りたい場合がある。また、会議中や作業中に外部から電話がかかってくる時に豊富な個人の情報（アドレス、メモ、スケジュール、画像データ等）が入力してあるカメラ付携帯電話が手元に無い場合にはユーザにとって非常に不便さを感じる。
【０００４】
そこで、カメラを使用して欲しくない施設で自動的にカメラ起動禁止設定にする事が出来れば、入構前や入館前にカメラ付携帯電話を預かる必要はなくなる。また、美術館などの施設ではモラルあるカメラ付携帯電話のカメラ使用が出来ることが望まれる。
このため、撮影装置又は撮影手段を有する携帯端末において、撮影制限区域内での撮影制限が確実に行えることを目的とする撮影装置、撮影制限システム、撮影警告システム、及び撮影制限解除システムが提案されている（例えば、特許文献１参照。）。
また、撮影禁止場所におけるカメラ付携帯端末装置による撮影を防止することができる撮影防止システムが提案されている（例えば、特許文献２参照。）。
【特許文献１】特開２００４−２３６９２号公報
【特許文献２】特開２００４−３２８４７５号公報
【発明の開示】
【発明が解決しようとする課題】
【０００５】
ところで、一般に美術館内や博物館内での撮影は基本的に禁止されているが、展示物によっては撮影が可能な場合があり、同じ展示場においても日によっては展示する場所が変更される場合がある。
【０００６】
また、施設内で犯罪や事故や火災が発生したりする場合もあり得る（１１０番通報、１１９番通報）。このような場合、犯罪の証拠の保全や火災、事故の状況を撮影する必要が生じるので、美術館や博物館全体をカメラ起動の禁止をせず、状況に応じて意図的にカメラ起動の許可を設定することが望まれる（このような緊急の場合の対応については上述した従来技術には記載されていない。）。
【０００７】
そこで、本発明の目的は、カメラによる撮影が禁止され得る施設内においても臨機応変に撮影が可能となるカメラ起動設定システム、カメラ付携帯端末、基地局、サーバー及び記録媒体を提供することにある。
【課題を解決するための手段】
【０００８】
上記課題を解決するため、請求項１記載のカメラ起動設定システムの発明は、所定エリアにおける撮影許可状況に応じて携帯端末に搭載されたカメラ起動を制御することを特徴とする。
【０００９】
請求項１記載の発明によれば、撮影許可状況に応じて携帯端末に搭載されたカメラ起動を制御するので、カメラによる撮影が禁止され得る施設内においても臨機応変に撮影が可能となる。
【００１０】
請求項２記載の発明は、他の携帯端末との間で通信通話を行うための第１の無線高周波部、特定の基地局との間で近距離無線通信を行うための第２の無線高周波部、画像を電気信号に変換するカメラ、及び前記カメラの起動の非許可信号を前記基地局から受信すると許可信号を受信するまで前記カメラの起動を停止するように制御するベースバンド部を有するカメラ付携帯端末と、前記カメラによる撮影が禁止され得る施設に配置され、前記カメラ付携帯端末に前記非許可信号もしくは前記許可信号の何れか一方を送信する基地局と、前記施設内での撮影が禁止される場合は前記基地局から前記カメラ付携帯端末に前記非許可信号を送信させ、前記施設内で指定箇所、指定期間、もしくは状況に応じて撮影が許可される場合は前記基地局から前記カメラ付携帯端末に前記許可信号を送信させるサーバーと、を備えたことを特徴とする。
【００１１】
請求項２記載の発明によれば、撮影が禁止される場合は基地局からカメラ付携帯端末に非許可信号を送信させ、撮影が許可される場合は基地局からカメラ付携帯端末に許可信号を送信させるサーバーを有することにより、許可信号によりカメラ付携帯端末の全回路を駆動させることができるので、カメラによる撮影が禁止され得る施設内においても臨機応変に撮影が可能となる。
【００１２】
請求項３記載のカメラ起動設定システムの発明は、請求項２記載の発明において、前記サーバーは、前記基地局から前記カメラ付携帯端末に前記カメラの撮影が禁止されているか否かのメッセージの信号を送信させ、前記カメラ付携帯端末は前記基地局からのメッセージの信号を受信すると前記メッセージを表示することを特徴とする。
【００１３】
請求項３記載の発明によれば、撮影が禁止されているか否かのメッセージの信号を送信させ、カメラ付携帯端末は基地局からのメッセージの信号を受信すると撮影の許可非許可のメッセージを表示するので、使用者が規則上撮影できるか否かを把握することができる。
【００１４】
請求項４記載のカメラ起動設定システムの発明は、請求項２または３記載の発明において、前記サーバーは、前記カメラ付携帯端末が前記施設から離れたと判断した場合には前記カメラ付携帯端末に前記許可信号を前記基地局から送信させることを特徴とする。
【００１５】
請求項４記載の発明によれば、カメラ付携帯端末が施設から離れたことをサーバーが判断した場合にはカメラ付携帯端末に許可信号を基地局から送信させることによりカメラ付携帯端末の全回路を駆動させることができるので、カメラによる撮影が禁止され得る施設内においても臨機応変に撮影が可能となる。
【００１６】
請求項５記載のカメラ起動設定システムの発明は、請求項２から４のいずれか１項記載の発明において、前記基地局は、前記施設に複数配置され、前記第２の無線高周波部を用いて前記カメラ付携帯端末との間で直接無線通信を行うことで受信レベルを測定し、前記サーバーは、該受信レベルが予め設定された受信レベルになったときに前記カメラによる撮影の許可非許可を前記カメラ付携帯端末に通知することを特徴とする。
【００１７】
請求項５記載の発明によれば、サーバーは、カメラ付携帯端末からの電波の受信レベルが予め設定された受信レベルになったときにカメラによる撮影の許可非許可をカメラ付携帯端末に通知することにより、カメラ付携帯端末の全回路を駆動させることができるので、カメラによる撮影が禁止され得る施設内においても臨機応変に撮影が可能となる。
【００１８】
請求項６記載のカメラ起動設定システムの発明は、請求項２から５のいずれか１項記載の発明において、前記基地局は、前記施設内の出入口に配置され、前記カメラ付携帯端末の入出を判断することを特徴とする。
【００１９】
請求項６記載の発明によれば、基地局が施設内の出入口に配置されることにより、カメラ付携帯端末の施設への入出が確実に把握することができる。
【００２０】
請求項７記載のカメラ付携帯端末の発明は、他の携帯端末との間で通信通話を行うための第１の無線高周波部と、特定の基地局との間で近距離無線通信を行うための第２の無線高周波部と、画像を電気信号に変換するカメラと、前記カメラの起動の非許可信号を前記基地局から受信すると許可信号を受信するまで前記カメラの起動を停止して待機するように制御するベースバンド部と、を備えたことを特徴とする。
【００２１】
請求項７記載の発明によれば、ベースバンド部がカメラの起動の非許可信号を基地局から受信すると許可信号を受信するまでカメラの起動を停止して待機するように制御することにより、許可信号を受信するとカメラの全回路が駆動できるようになるので、カメラによる撮影が禁止され得る施設内においても臨機応変に撮影が可能となる。
【００２２】
請求項８記載の基地局の発明は、カメラ付携帯端末に内蔵されたカメラによる撮影が禁止され得る施設内に配置され、前記カメラ付携帯端末に前記カメラの起動を停止する非許可信号もしくは前記カメラの起動を許可する許可信号の何れか一方を送信するための第３の無線高周波部を備えたことを特徴とする。
【００２３】
請求項８記載の発明によれば、第３の無線高周波部からカメラ付携帯端末にカメラの起動を停止する非許可信号が送信されるとカメラ付携帯端末のカメラの回路が駆動できず、第３の無線高周波部からカメラ付携帯端末にカメラの起動を許可する許可信号が送信されるとカメラ付携帯端末の全回路が駆動できるので、カメラによる撮影が禁止され得る施設内においても臨機応変に撮影が可能となる。
【００２４】
請求項９記載のサーバーの発明は、カメラ付携帯端末に内蔵されたカメラによる撮影が禁止され得る施設内で、前記撮影が禁止される場合は、基地局からカメラ付携帯端末に非許可信号を送信させ、前記施設内で指定箇所、指定期間、もしくは状況に応じて撮影が許可される場合は前記基地局から前記カメラ付携帯端末に許可信号を送信させることを特徴とする。
【００２５】
請求項９記載の発明によれば、撮影が禁止される場合はサーバーが基地局からカメラ付携帯端末に非許可信号を送信させることにより、カメラ付携帯端末のカメラの駆動ができず、撮影が許可される場合はサーバーが基地局からカメラ付携帯端末に許可信号を送信させることにより、カメラ付携帯端末のカメラの全回路が駆動できるので、カメラによる撮影が禁止され得る施設内においても臨機応変に撮影が可能となる。
【００２６】
請求項１０記載のサーバーの発明は、請求項８記載の発明において、前記基地局から前記カメラ付携帯端末に前記カメラの撮影が禁止されているか否かのメッセージの信号を送信させ、前記カメラ付携帯端末は前記基地局からのメッセージの信号を受信すると前記メッセージを表示することを特徴とする。
【００２７】
請求項１０記載の発明によれば、カメラ付携帯端末が撮影が禁止されているか否のメッセージの信号を受信すると表示することにより、カメラ付携帯端末の使用者が規則上撮影できるか否かを把握することができる。
【００２８】
請求項１１記載のサーバーの発明は、請求項９または１０記載の発明において、前記カメラ付携帯端末が前記施設から離れたと判断した場合には前記カメラ付携帯端末に前記許可信号を前記基地局から送信させることを特徴とする。
【００２９】
請求項１１記載の発明によれば、カメラ付携帯端末が施設から離れたことをサーバーが判断した場合、カメラ付携帯端末に許可信号を基地局から送信させることにより、カメラ付携帯端末の全回路が駆動できるので、カメラによる撮影が禁止され得る施設内においても臨機応変に撮影が可能となる。
【００３０】
請求項１２記載の記録媒体の発明は、サーバーに、カメラ付携帯端末に内蔵されたカメラによる撮影が禁止され得る施設内で、前記撮影が禁止される場合は、基地局からカメラ付携帯端末に非許可信号を送信させる処理、前記施設内で指定箇所、指定期間、もしくは状況に応じて撮影が許可される場合は前記基地局から前記カメラ付携帯端末に許可信号を送信させる処理を実行させるためのプログラムを記録したことを特徴とする。
【００３１】
請求項１２記載の発明によれば、サーバーに記録されたプログラムを実行することにより、サーバーが基地局からカメラ付携帯端末に非許可信号を送信させることにより、カメラ付携帯端末のカメラの駆動ができず、撮影が許可される場合はサーバーが基地局からカメラ付携帯端末に許可信号を送信させることにより、カメラ付携帯端末のカメラの全回路が駆動できるので、カメラによる撮影が禁止され得る施設内においても臨機応変に撮影が可能となる。
【００３２】
請求項１３記載の記録媒体の発明は、請求項１２記載の発明において、前記サーバーに、前記基地局から前記カメラ付携帯端末に前記カメラの撮影が禁止されているか否かのメッセージの信号を送信させる処理、前記カメラ付携帯端末は前記基地局からのメッセージの信号を受信すると前記メッセージを表示させる処理を実行させることを特徴とする。
【００３３】
請求項１３記載の発明によれば、サーバーに記録されたプログラムを実行することにより、カメラ付携帯端末の使用者が規則上撮影できるか否かを把握することができる。
【００３４】
請求項１４記載の記録媒体の発明は、請求項１２または１３記載の発明において、前記サーバーに、前記カメラ付携帯端末が前記施設から離れたと判断した場合には前記カメラ付携帯端末に前記許可信号を前記基地局から送信させる処理を実行させることを特徴とする。
【００３５】
請求項１４記載の発明によれば、サーバーに記録されたプログラムを実行することにより、カメラ付携帯端末が施設から離れたとサーバーが判断した場合、カメラ付携帯端末に許可信号が基地局から送信されてカメラ付携帯端末の全回路が駆動できるので、カメラによる撮影が禁止され得る施設内においても臨機応変に撮影が可能となる。
【発明の効果】
【００３６】
本発明によれば、撮影が禁止される場合は基地局からカメラ付携帯端末に非許可信号を送信させ、撮影が許可される場合は基地局からカメラ付携帯端末に許可信号を送信させるサーバーを有することにより、許可信号によりカメラ付携帯端末の全回路を駆動させることができるので、カメラによる撮影が禁止され得る施設内においても臨機応変に撮影が可能となる。
【発明を実施するための最良の形態】
【００３７】
〔発明の特徴〕
本発明は、周囲の状況に適したカメラ起動の許可を設定できる移動無線装置システムに関するものである。本発明の移動無線装置システムは、カメラ起動の許可状態を変換させるための信号を公共の場に設けた外部装置から受信する手段と、カメラ起動の許可状態を検出する機能を有する移動無線装置と、該当場所・時間・状態に適したカメラ起動の許可(本説明内で使用している"カメラ起動の許可"とは動画、静止画撮影用のカメラ起動、TVカメラ起動を示す)設定や、緊急（例えば110番、119番など）の現場状況の為にカメラ起動を許可する設定信号をBluetoothなどの近距離無線よりカメラ起動の許可の変更を通知する機能を有するサーバーで構成している。
【００３８】
例えば、美術館での撮影は基本的に禁止であるが、展示物によっては撮影が可能な展示物や、展示場（日によって展示する場所が変わってくる）がある。そういったところで、美術館全体をカメラ起動の禁止をせず、状況に合わせてサーバー側で意図的にカメラ起動の許可を設定する。
【００３９】
また、公共の場を特定させる為の方法としてサーバーに付随するBluetoothなどの近距離無線装置をエリアごとに複数個設置することで各Bluetoothなどの近距離無線装置からの受信レベルを移動無線装置で測定してサーバーの無線部を経由してサーバー側に通知して、移動無線装置の位置をサーバー側で割り出す機能を有する。移動無線装置の位置が同一公共の場所でも、カメラ起動の許可を設定することができ、公共の場で各移動無線装置のカメラ起動の許可状態を任意の場所、時間、状態に合わせて任意に設定変更を通知することができるシステムである。
【００４０】
また、サーバー側は移動機網との連携を果たすことにより、カメラ起動の規制がかかった状態で移動無線装置を使用している所有者（ユーザー）カメラ起動を行おうとした場合に、状況に応じてサーバー側でカメラ起動の許可をする事が出来る。
【００４１】
本発明は、カメラ起動の許可設定を移動無線装置の所有者（ユーザー）に意識させずに設定をし、マナー向上に繋げる為のものである。
【００４２】
〔実施の形態〕
本実施形態のカメラ起動設定システムは、所定エリアにおける撮影許可状況に応じて携帯端末に搭載されたカメラ起動を制御することを特徴とする。
【００４３】
本実施形態のカメラ起動設定システムは、他の携帯端末との間で通信通話を行うための第１の無線高周波部、特定の基地局との間で近距離無線通信を行うための第２の無線高周波部、画像を電気信号に変換するカメラ、及びカメラの起動の非許可信号を基地局から受信すると許可信号を受信するまでカメラの起動を停止するように制御するベースバンド部を有するカメラ付携帯端末と、カメラによる撮影が禁止され得る施設に配置され、カメラ付携帯端末に非許可信号もしくは許可信号の何れか一方を送信する基地局と、施設内での撮影が禁止される場合は基地局からカメラ付携帯端末に非許可信号を送信させ、施設内で指定箇所、指定期間、もしくは状況に応じて撮影が許可される場合は基地局からカメラ付携帯端末に許可信号を送信させるサーバーと、を備えたことを特徴とする。
【００４４】
本実施形態のカメラ起動設定システムは、上記構成に加え、サーバーは、基地局からカメラ付携帯端末にカメラの撮影が禁止されているか否かのメッセージの信号を送信させ、カメラ付携帯端末は基地局からのメッセージの信号を受信するとメッセージを表示してもよく、サーバーは、カメラ付携帯端末が施設から離れたと判断した場合にはカメラ付携帯端末に許可信号を基地局から送信させるようにしてもよい。
【００４５】
本実施形態のカメラ起動設定システムは、上記構成に加え、基地局は、施設に複数配置され、第２の無線高周波部を用いてカメラ付携帯端末との間で直接無線通信を行うことで受信レベルを測定し、サーバーは、受信レベルが予め設定された受信レベルになったときにカメラによる撮影の許可非許可をカメラ付携帯端末に通知するようにしてもよく、基地局は、施設内の出入口に配置され、カメラ付携帯端末の入出を判断するようにしてもよい。
【００４６】
本実施形態のカメラ付携帯端末は、他の携帯端末との間で通信通話を行うための第１の無線高周波部と、特定の基地局との間で近距離無線通信を行うための第２の無線高周波部と、画像を電気信号に変換するカメラと、カメラの起動の非許可信号を基地局から受信すると許可信号を受信するまでカメラの起動を停止して待機するように制御するベースバンド部と、を備えたことを特徴とする。
【００４７】
本実施形態の基地局は、カメラ付携帯端末に内蔵されたカメラによる撮影が禁止され得る施設内に配置され、カメラ付携帯端末にカメラの起動を停止する非許可信号もしくはカメラの起動を許可する許可信号の何れか一方を送信するための第３の無線高周波部を備えたことを特徴とする。
【００４８】
本実施形態のサーバーは、カメラ付携帯端末に内蔵されたカメラによる撮影が禁止され得る施設内で、撮影が禁止される場合は、基地局からカメラ付携帯端末に非許可信号を送信させ、施設内で指定箇所、指定期間、もしくは状況に応じて撮影が許可される場合は基地局からカメラ付携帯端末に許可信号を送信させることを特徴とする。
【００４９】
本実施形態のサーバーは、上記構成に加え、基地局からカメラ付携帯端末にカメラの撮影が禁止されているか否かのメッセージの信号を送信させ、カメラ付携帯端末は基地局からのメッセージの信号を受信するとメッセージを表示するようにしてもよく、カメラ付携帯端末が施設から離れたと判断した場合にはカメラ付携帯端末に許可信号を基地局から送信させるようにしてもよい。
【００５０】
本実施形態の記録媒体は、サーバーに、カメラ付携帯端末に内蔵されたカメラによる撮影が禁止され得る施設内で、撮影が禁止される場合は、基地局からカメラ付携帯端末に非許可信号を送信させる処理、施設内で指定箇所、指定期間、もしくは状況に応じて撮影が許可される場合は基地局からカメラ付携帯端末に許可信号を送信させる処理を実行させるためのプログラムを記録したことを特徴とする。
【００５１】
本実施形態の記録媒体は、上記構成に加え、サーバーに、基地局からカメラ付携帯端末にカメラの撮影が禁止されているか否かのメッセージの信号を送信させる処理、カメラ付携帯端末は基地局からのメッセージの信号を受信するとメッセージを表示させる処理を実行させるようにしてもよく、サーバーに、カメラ付携帯端末が施設から離れたと判断した場合にはカメラ付携帯端末に許可信号を基地局から送信させる処理を実行させるようにしてもよい。
【実施例】
【００５２】
〔構  成〕
図１及び図２を参照して本発明に係るカメラ起動設定システムの一実施例の概略動作を説明する。
図１はカメラ起動設定システムの概念図であり、図２は図１に示したカメラ起動設定システムに用いられるカメラ付携帯端末としての移動無線装置のブロック図である。
本システムを説明するにあたり、移動機カメラ起動設定システムを有する施設（以降M1と称す）Bluetooth等の近距離無線などの基地局を有したサーバー（以降M2と称す）、Bluetooth等の近距離無線などの基地局（以降M3もしくはM4と称す）、移動無線装置（以降M5と称す） M1〜M5のそれぞれの間で通信が出来るアプリケーションソフトを用意する。
【００５３】
ここで、M2について説明する。
図５は図１に示したサーバーのフローチャートを示す図である。
同図に示すように施設M1内でのカメラ起動の制限時期の設定を行い（ステップS50）、現在カメラの規制が必要か否かを判断し（ステップS51）、必要であると判断した場合（ステップS51／YES）、施設内外に規制対象となる移動機があるか否かを判断する（ステップS52）。
施設内外に規制対象となる移動機があると判断した場合（ステップS52／YES）、サーバーM2からカメラ起動の状態を送信する（ステップS53）。
カメラの緊急起動許可等を受信した場合履歴をチェックする（ステップS54）。
カメラ規制の終了通知を送信する（ステップS55）。
図６は図１に示した基地局のフローチャートを示す図である。
施設付近の制限対象をチェックする（ステップS60）。
規制対象のカメラが近づいた場合、受信レベルをサーバに通知する（ステップS61）。
サーバーから移動機に情報通知があれば移動機にその内容を通知する（ステップS62）。
受信レベルをチェックし、受信レベルが有る閾値に到達したらサーバに通知する（ステップS63）。
対象となる移動機が施設から遠ざかったら終了する（ステップS64）。
【００５４】
次に図１に示したシステムの動作について述べる。
まず、M3の所有者（ユーザー）が移動無線装置のカメラ機能を制限したい地域（例えばM2〜M4を設置したM1などとする）へ行った場合を想定する。
【００５５】
M3もしくはM4と、M5とが通信をする事により受信レベルなどを測定してM3もしくはM4からM2に対して受信レベルを通知する。受信レベルの通知を受けたM2は、受信レベルがあらかじめ設定してある受信レベルになった場合、状況に応じたカメラ起動の許可・非許可の設定内容をM5に対して通知を行う。
【００５６】
M5はM2から通知を受け、カメラ起動の許可（もしくは非許可）状態の設定を行う（例えば、カメラ起動中に、カメラ非許可の通知を受信した場合に、カメラ起動を終了させ次にカメラ起動の状態変化通知が来るまで）。
【００５７】
例えば、M2が最初にM3もしくはM4を通してM5から通知を受けた状態で施設付近に近づいただけと判断した場合はカメラ起動の許可を設定する必要がないので、M5に対しては何も通知を行わない。
【００５８】
M5の所有者（ユーザー）がさらにM1に近づき施設の中に入場した場合、M2は施設内が既にカメラ起動許可領域ではなくカメラ起動非許可設定にする必要があると判断した場合に、M2はカメラ起動非許可（以降S2と称す）の通知をM5に対して行い、S2設定の通知を受けてM5はカメラ起動不可設定（以降S5と称す）を行っていない場合はS5の設定に変更をする。
また、M5の所有者（ユーザー）がM1の施設内にある会場内に入った場合に、S2の状態を継続してよいと判断した場合は何も通知を行わないが、M2が該当の会場がカメラ撮影を許可する判断をした場合にM2はカメラ起動許可（以降S1と称す）通知をM5に対して通知を行い、S1設定の通知を受けてM5はカメラ起動可設定（以降S4と称す）を行う。
【００５９】
そこで、例えば所有者（ユーザー）がいる会場が時間により展示物を変更するような状況があった場合で且つカメラ撮影の状態を変える場合はその状態に合わせてS1、S2の設定をM5に対して通知を行い、M2から通知を受けた状態をM5に設定を行う。
【００６０】
また、M5のカメラ起動がS5設定であった場合でもM5が緊急に現状の様子を通知する必要があった場合にはM5は任意の設定を行いS5の解除を行うための解除許可通知をM2に対して行い、カメラ起動がS4の状態にする。M2は特別に解除許可を行った為にその履歴（以降S3と称す）を設定する。
【００６１】
M5の所有者（ユーザー）がM1の施設から離れた場合においては、カメラ起動をS4の状態になるようにM2からS1の通知を行う。M5の所有者（ユーザー）は従来通りの携帯電話の使い方ができるようになる。
【００６２】
図２において、ANTはアンテナであり、例えば、ホイップアンテナが挙げられるが限定されるものではなく、無指向性アンテナ（ロッドアンテナ、ブラウンアンテナ、パッチアンテナ、スクエアロアンテナ等）であればよい。
【００６３】
21-1は他の携帯端末（図示せず）との間で通信通話を行うための第１無線高周波部であり、21-2は特定の基地局（例えば、M3、M4）との間で近距離無線通信を行うための第２無線高周波部である。
【００６４】
22はカメラ23からの画像信号を処理し、LCD（液晶表示素子）24へ受信した画像信号もしくはカメラ23からの画像信号を可視画像に表示させる画像処理回路である。
【００６５】
23は被写体からの光を電気信号に変換するカメラ（例えば、CCDカメラ）である。
【００６６】
24はカメラ23の起動の非許可信号を基地局M3、M4から受信すると許可信号を受信するまでカメラ23の起動を停止して待機するように制御するベースバンド部である。
【００６７】
25はスピーカ、26はマイクロフォン、27はメモリ、28はキーである。これら各部材21〜28で移動無線装置20が構成されている。
【００６８】
〔動作の説明〕
図３を参照してカメラ起動設定システムの動作を説明する。
図３は図１に示したシステムの動作を説明するためのフローチャートである。
ステップS30で移動無線装置が移動した周辺にBluetoothなどの近距離無線装置を有し、カメラ起動の許可の変更を促すサーバーである場合か否かのチェックを行う。
チェックの結果該当するサーバーであり、カメラ起動の許可の設定が必要ならばステップS31で受信レベルを測定して受信レベルをサーバーの無線部に通知を行う（ステップS32）。
【００６９】
サーバー側は受信した、移動無線装置の受信レベルが予め想定した一定レベル（カメラ起動の許可を変更する必要があるレベルであると判断）を超えて、且つカメラ起動の許可の設定が必要か否かの判定を行う（ステップS33）。
判定を行った結果、移動無線装置がある施設で、任意のカメラ起動の許可設定が必要な場合（ステップS33／YES）は、サーバーが通知するカメラ起動の許可を移動無線装置の設定変更をする（ステップS34）。
【００７０】
カメラ起動の許可設定が必要なければ、ステップS31へBluetoothなどの近距離無線装置を有し、カメラ起動の許可の変更を促すサーバーを再度検索する。
ステップS34でカメラ起動の許可設定変更を行った場合には、受信レベルを測定して一定のレベル変化があった場合にサーバーに対して受信レベルを通知する（ステップS35）。
【００７１】
サーバー側は移動無線装置がサーバーから離れたか否かの判断を行い、離れた場合はステップS38へ進み、サーバー側で定めたカメラ起動の許可を変更する状態や、時間、場所であった場合はステップS37への判定を行う。
ステップS37に進んだ場合にサーバー側は移動無線装置のカメラ起動の許可変更が必要か否かの判定を行う。
変更が必要な場合はステップS34へ進み、変更が必要ない場合はステップS35へ進む。
移動無線装置は受信レベルが変化する毎にサーバーに対して通知を行う。
【００７２】
以下ステップS34〜S37の操作を繰り返す。
また、ステップS38で施設から離れたと判断した場合はカメラを常時起動できる状態に戻す通知を移動無線装置に対して行う。その後、Bluetoothなどの近距離無線装置を有し、カメラ起動の許可の変更を促すサーバーが近くに再発見した場合は上記内容を繰り返すことにより、自動的にカメラ起動の許可の変更を行っていく。
【００７３】
次に緊急事態が発生した場合について説明する。但し、既にカメラ起動が禁止状態になっているものとする。
図４は緊急事態が発生した場合の動作を説明するためのフローチャートである。
緊急事態が発生すると（ステップS40）、現在カメラの規制がかかっているか否かの判断を行い（ステップS41）、規制がかかっている場合（ステップS41／YES）、緊急にカメラ起動が必要である旨をサーバ側に通知する（ステップS44）。
【００７４】
移動無線装置がサーバーからカメラの起動許可を受信すると（ステップS45）、カメラの起動が可能になり（ステップS46）、移動無線装置によるカメラ起動が終了すると、移動無線装置からカメラ終了をサーバー側に通知し（ステップS47）、緊急カメラ起動通知前の状態に戻して終了する（ステップS48）。
【００７５】
カメラ規制がかかっていない場合（ステップS41／NO）、カメラを起動させようとしても（ステップS42）、すぐにカメラの駆動が終了し撮影を行うことができない（ステップS43）。
【００７６】
〔効果の説明〕
移動無線装置の所有者（ユーザー）が意識をすること無く任意の場所や時間によって自動的にマナーモードなどカメラ起動の許可の設定を行い、着信側の状況を判断して発信側は通話が可能である。また、Bluetoothなどの近距離無線の電波が届く範囲が短く受信レベルによって位置情報を判断する事により、移動無線装置を使用してよい場所、使用が不可能な場所を明確に分けることができる。
【図面の簡単な説明】
【００７７】
【図１】カメラ起動設定システムの概念図である。
【図２】図１に示したカメラ起動設定システムに用いられるカメラ付携帯端末としての移動無線装置のブロック図である。
【図３】図１に示したシステムの動作を説明するためのフローチャートである。
【図４】緊急事態が発生した場合の動作を説明するためのフローチャートである。
【図５】図１に示したサーバーのフローチャートを示す図である
【図６】図１に示した基地局のフローチャートを示す図である。
【符号の説明】
【００７８】
Ｍ１    施設
Ｍ２    サーバー
Ｍ３、Ｍ４    基地局
Ｍ５    移動機
【図１】
2006254249.tif 000003
【図２】
2006254249.tif 000004
【図３】
2006254249.tif 000005
【図４】
2006254249.tif 000006
【図５】
2006254249.tif 000007
【図６】
2006254249.tif 000008